(57)【要約】      （修正有）【課題】テーブルに堆積しやすいチリ・ホコリそれに伴う菌が、スプーン、フォーク、ナイフなどに付着しにくいカトラリースタンドの提供。【解決手段】スプーン３、フォーク６、ナイフなどのカトラリーをテーブルに接触させずに立てるカトラリースタンド１であって、テーブルに接触する接触面１０を有する台座部２と、接触面１０に対して所定の角度だけ傾斜した状態で台座部２から上方に伸びており、かつ、カトラリーを挿入した状態でカトラリーを支持する１又は２以上の支持孔４，７を有する支持部９と、を備えているとともに、カトラリースタンド１の重心を通る仮想の鉛直線は、台座部２の接触面１０の範囲内を通過し、支持孔４，７に挿入したカトラリーの重心とカトラリースタンド１の重心とを合成した合成重心を通る仮想の鉛直線は、台座部２の接触面１０の範囲内を通過するように設定されていることを特徴とするカトラリースタンド１である。【選択図】図３
2017121470.tif 000002
【特許請求の範囲】
【請求項１】
台座がカトラリー（スプーン、フォーク、ナイフなどをいう）とテーブルが非接触になるように設けられ、この台座にカトラリーの先部分だけで１本ずつ差し立てられる複数の支持孔を空け、その支持孔にカトラリーの先部分が差し込まれた状態で、カトラリー１本ごとの重心と台座の重心が各々に鉛直線上で台座がテーブルと接触する面の範囲内にあり、且つカトラリー１本ごとの重心と台座の重心の合力も鉛直線上で台座がテーブルと接触する面の範囲内にあることで、カトラリーと台座とのバランスが安定することを特徴とするカトラリースタンド。
【請求項２】
カトラリーを差し立てる支持孔の形状が楕円形となっている請求項１記載のカトラリースタンド。
【請求項３】
スプーン、フォーク、ナイフなどのカトラリーをテーブルに接触させずに立てるカトラリースタンドであって、
前記テーブルに接触する接触面を有する台座部と、
前記接触面に対して所定の角度だけ傾斜した状態で前記台座部から上方に伸びており、かつ、前記カトラリーを挿入した状態で前記カトラリーを支持する１又は２以上の支持孔を有する支持部と、
を備えているとともに、
前記カトラリースタンドの重心を通る仮想の鉛直線は、前記台座部の前記接触面の範囲内を通過し、
前記支持孔に挿入した前記カトラリーの重心と前記カトラリースタンドの重心とを合成した合成重心を通る仮想の鉛直線は、前記台座部の前記接触面の範囲内を通過するように設定されている
ことを特徴とするカトラリースタンド。
【請求項４】
前記支持部の所定の角度は約１２０°であることを特徴とする請求項３記載のカトラリースタンド。
【請求項５】
前記支持孔の中心線の角度は約６０°であることを特徴とする請求項３又は請求項４記載のカトラリースタンド。
【発明の詳細な説明】
【技術分野】
【０００１】
本発明はスプーン、フォーク、ナイフなどのカトラリーをテーブルに接触させずに立てるカトラリースタンドに関するものである。
【背景技術】
【０００２】
従来のカトラリースタンドは柄の部分に磁石を内蔵させた専用のスプーンを台座側の磁石にくっつけることにより、立てかける形状に加工されているため、整理整頓を容易にすることができた（特許文献１）。
【先行技術文献】
【特許文献】
【０００３】
【特許文献１】実開昭６２−０２４７７７
【発明の概要】
【発明が解決しようとする課題】
【０００４】
従来のカトラリースタンドにおいては、磁力を内蔵する専用のスプーンが必要であり、スプーン自体が重くなってしまうという問題があった。
【０００５】
そこで本発明は、市販のカトラリーを使うことができるカトラリースタンドを提供することを目的とする。
【課題を解決するための手段】
【０００６】
上記課題を解決するものとして、本発明は台座がカトラリー（スプーン、フォーク、ナイフなどをいう）とテーブルが非接触になるように設けられ、この台座にカトラリーの先部分だけで１本ずつ差し立てられる複数の支持孔を空け、その支持孔にカトラリーの先部分が差し込まれた状態で、カトラリー１本ごとの重心と台座の重心が各々に鉛直線上で台座がテーブルと接触する面の範囲内にあり、且つカトラリー１本ごとの重心と台座の重心の合力も鉛直線上で台座がテーブルと接触する面の範囲内にあることで、カトラリーと台座とのバランスが安定するカトラリー用の台座を提供する。さらに、カトラリーを差し立てる支持孔の形状が楕円形となっているカトラリー用の台座を提供する。
【０００７】
また、上記課題を解決するものとして、本発明はスプーン、フォーク、ナイフなどのカトラリーをテーブルに接触させずに立てるカトラリースタンドであって、テーブルに接触する接触面を有する台座部と、接触面に対して所定の角度だけ傾斜した状態で台座部から上方に伸びており、かつ、カトラリーを挿入した状態でカトラリーを支持する１又は２以上の支持孔を有する支持部と、を備えているとともに、カトラリースタンドの重心を通る仮想の鉛直線は、台座部の接触面の範囲内を通過し、支持孔に挿入したカトラリーの重心とカトラリースタンドの重心とを合成した合成重心を通る仮想の鉛直線は、台座部の接触面の範囲内を通過するように設定されていることを特徴とするカトラリースタンドを提供する。
【発明の効果】
【０００８】
カトラリースタンドの重心と支持孔に挿入したカトラリーの重心とを合成した合成重心を通る仮想の鉛直線は、カトラリースタンドがテーブルと接触する面の範囲内を通過することでカトラリーが挿入された状態が安定するので倒れることはなく、カトラリースタンドに挿入されたカトラリーがテーブルに直接触れないためテーブルのチリ・ホコリそれに伴う菌などとの接触による付着のおそれが軽減される。
【０００９】
カトラリースタンドにカトラリーを挿入したことで、従来は平置きされるカトラリーが占拠するテーブル上の面積が削減でき、テーブルコーディネイトを豊かにする花器や燭台などの装飾品も置くスペースができる。
【００１０】
カトラリースタンドにカトラリーを挿入したことで、テーブルセッティングに縦の動きができて空間に立体感が加わりカトラリー自体がおしゃれな空間を演出することができる。
【００１１】
カトラリースタンドにカトラリーを挿入したことで、例えば箸置きのように一人ひとりをもてなすことができる。
【図面の簡単な説明】
【００１２】
【図１】本発明の第一実施形態のカトラリースタンドを前方斜めから見た斜視図である。
【図２】本発明の図１の三面図である。
【図３】本発明の第一実施形態のカトラリースタンドにスプーンとフォークが挿入された状態を前方斜めから見た斜視図である。
【図４】本発明の図３を後方斜めから見た斜視図である。
【図５】本発明の第一実施形態のカトラリースタンドの支持部と接触面の角度を示す側面図である。
【図６】本発明の第一実施形態のカトラリースタンドの支持孔を通る中心線とテーブルの設置面との角度を示す側面図である。
【図７】本発明の第一実施形態のカトラリースタンドにスプーンとフォークが挿入された状態の各重心を示す模式図である。
【図８】本発明の第二実施形態のカトラリースタンドにスプーンとフォークとナイフが挿入された状態を前方斜めから見た斜視図である。
【図９】本発明の第二実施形態のカトラリースタンドにスプーンとフォークとナイフが挿入された状態の各重心を示す模式図である。
【発明を実施するための形態】
【００１３】
本発明の第一実施形態及び第二実施形態を説明する。
【００１４】
第一実施形態は図１〜７に示すようにカトラリーが２本挿入可能なタイプである。
【００１５】
第二実施形態は図８〜９に示すようにカトラリーが３本挿入可能なタイプである。
【００１６】
また、第一実施形態及び第二実施形態のカトラリースタンド１、１８は、支持部に１または２以上の支持孔を有しており支持孔にはカトラリーが挿入可能になっている。
【００１７】
これら第一実施形態及び第二実施形態のカトラリースタンド１、１８で使用するカトラリーは、日本やアジアで食事のメインで使う「デザートサイズ」を基準とした。一般的にはデザートスプーン（以下スプーンという）は長さが約１９０ｍｍ、横幅が約４０ｍｍ、デザートフォーク（以下フォークという）は長さが約１８０ｍｍ、横幅が約２６ｍｍ、デザートナイフ（以下ナイフという）は長さが約２２０ｍｍ、横幅が約２０ｍｍとなっている。また、カトラリーを挿入するために空けた支持孔の横幅は一般的なカトラリーのサイズより小径にすることで挿入されるカトラリーの抜け落ちを防いでいる。
【００１８】
また、さまざまな種類のスプーン、フォーク、ナイフに対しても本発明をもとに設計することが可能である。
【００１９】
図１〜７は第一実施形態を表している。図１は、スプーン３を挿入する支持孔４とフォーク６を挿入する支持孔７の空いている状態を示す斜視図である。カトラリースタンド１の高さは３５ｍｍ、横幅は５０ｍｍ、奥行きは３３ｍｍである。ここで矢印Ａはカトラリースタンド１の正面方向を示す。矢印Ｂはカトラリースタンド１の側面方向を示す。矢印Ｃはカトラリースタンド１の上面方向を示す。矢印Ｄはカトラリースタンド１の背面方向を示している。台座部２はカトラリースタンド１において水平方向に伸びる部分である。支持部９は台座部２から上方に伸びたカトラリースタンド１の部分である。接触面１０は台座部２がテーブルの設置面１２と接触するカトラリースタンド１の面である。カトラリースタンド１の上面１１は矢印Ｃから見た面である。
【００２０】
図２は、カトラリースタンド１の三面図である。２−Ａは矢印Ａから見た正面図である。２−Ｂは矢印Ｂから見た側面図である。２−Ｃは矢印Ｃから見た上面図である。
【００２１】
図３は、カトラリースタンド１の使用状態を示した斜視図である。
【００２２】
図４はカトラリースタンド１の使用状態を背面から示す斜視図である。スプーン３は支持孔４に挿入し先端５が支持部９から突出している。同時に、フォーク６は支持孔７に挿入し先端８が支持部９から突出している。
【００２３】
図５は、図１に示すカトラリースタンド１の支持部９が接触面１０に対して約１２０°の角度に設計された状態を示すカトラリースタンド１の側面図である。スプーン３は支持孔４入口の下部分との接点４ａと支持孔４出口の上部分の接点４ｂを持つことで自重を支えている。また、フォーク６は支持孔７入口の下部分との接点７ａと支持孔７出口の上部分の接点７ｂを持つことで自重を支えている。
【００２４】
この角度はスプーン３を支持孔４に挿入した状態で支持部９から突出した先端５がテーブルの設置面１２に接触しないで第一実施形態となる。この検証のために試作品を製作し接触面１０と支持部９の角度を９０°〜１５０°の間で実験を行った。接触面１０と支持部９との角度が９０°以下の場合は図５中の時計回りに倒れてしまい、１５０°以上の場合は図５中の反時計回りに倒れてしまった。
【００２５】
したがって、第一実施形態において支持部９が接触面１０に対しての角度が９０°〜１５０°の範囲内が好ましい。さらに、第一実施形態において支持部９の角度は接地面１０に対して約１２０°で傾斜する場合がより好ましい。
【００２６】
図６は、下側の支持孔４及び上側の支持孔７を通るそれぞれの中心線４Ｌ、７Ｌの傾斜状態を示す側面図である。図６に示すように、下側の支持孔４及び上側の支持孔７を通るそれぞれの中心線４Ｌ、７Ｌは、テーブルの設置面１２に対してそれぞれ約６０°だけ傾斜している。各支持孔４，７が所定の角度だけ傾斜することによってカトラリースタンド１が倒れないことを発明者は発見した。  
【００２７】
この発見を検証するために、支持部９が接触面１０に対して１２０°の角度で試作品を製作したうえで、支持孔４と支持孔７の中心線の角度を設置面１２に対して４０°〜８０°の間で実験を行った。支持孔４と支持孔７の中心線の角度が４０°以下の場合、図６中の時計回りに倒れてしまう。支持孔４と支持孔７の中心線が８０°以上の場合は、図６中の反時計回りに倒れてしまった。その一方、支持孔４，支持孔７の中心線４Ｌ，７Ｌの角度が４０°〜８０°の範囲内の場合、カトラリースタンド１が倒れることはなかった。
【００２８】
したがって、第一実施形態において支持孔の中心線の角度が４０°〜８０°の範囲内が好ましい。さらに、第一実施形態において支持孔４と支持孔７の中心線４Ｌ，７Ｌの角度は設置面１２に対して約６０°で傾斜した場合が一番安定していた。
【００２９】
また、図２及び図６に示すように、第一実施形態において、下側の支持孔４及び上側の支持孔７の形状及び寸法は、スプーン３やフォーク６などのカトラリーを下側の支持孔４又は上側の支持孔７に挿入した際に、それらのカトラリーの先端５，８が接地面１２と接触しないような形状及び大きさに制限されている。すなわち、第一実施形態において、支持孔４と支持孔７の形状は、カトラリーが出し入れしやすいほぼ楕円形としている。ただし、支持孔４及び支持孔７の形状は楕円形に限られないため、円形や四角形などの他の形状を採用しても良い。支持孔４及び支持孔７の寸法はカトラリーの一般的なサイズより小さくすることで挿入するカトラリーの抜け落ちを防いでいる。そこで、横幅４０ｍｍとするスプーンの支持孔４をほぼ楕円形の横幅が３８ｍｍ、高さが１０ｍｍとした。横幅２６ｍｍのフォーク６を挿入する支持孔７をほぼ楕円形の横幅が２４ｍｍ、高さが５ｍｍとした。
【００３０】
なお、他の実施形態においては、支持孔の寸法がカトラリーの基準サイズよりも大きい場合もありえる。
【００３１】
図７は、スプーン３とフォーク６をカトラリースタンド１に挿入した時の重心のバランス状態を示す模式図である。
【００３２】
まず、カトラリースタンド１の重心Ｗ１を通る仮想の鉛直線Ｅ１は、接触面１０を通過するように設定されている。
【００３３】
次にカトラリースタンド１の重心Ｗ１とスプーン３の重心Ｗ２との合成重心Ｗ１＋Ｗ２を通る仮想の鉛直線Ｅ２は、接触面１０を通過するように設定されている。
【００３４】
さらにカトラリースタンド１の重心Ｗ１とフォーク６の重心Ｗ３との合成重心Ｗ１＋Ｗ３を通る仮想の鉛直線Ｅ３は接触面１０を通過するように設定されている。
【００３５】
そして、カトラリースタンド１の重心Ｗ１とスプーン３の重心Ｗ２とフォーク６の重心Ｗ３との合成重心Ｗ１＋Ｗ２＋Ｗ３を通る仮想の鉛直線Ｅ４が接触面１０を通過するように設定されている。
【００３６】
これにより、カトラリースタンド１とスプーン３とフォーク６の重心のバランスが安定した状態となる。
【００３７】
次に図８、９を用いてのカトラリースタンド１８について説明をする。
【００３８】
図８は、本発明の第二実施形態を示す斜視図である。また、図９は、スプーン３とフォーク６とナイフ１５をカトラリースタンド１８に挿入した時の重心のバランス状態を示す模式図である。
【００３９】
図８、９に示すようにスプーン３は支持孔４に挿入されている。フォーク６は支持孔７に挿入されている。ナイフ１５は支持孔１６に挿入されている。この場合、ナイフ１５の先端１７は支持部１９から突出しているのが見える。
【００４０】
第一実施形態のカトラリースタンド１及び第二実施形態のカトラリースタンド１８の共通点は、カトラリースタンド１及び１８の重心と各カトラリーの合成重心の仮想の鉛直線が接触面１０及び２０を通過するように設定されていることである。
【００４１】
一方、それらの相違点は、第一実施形態のカトラリースタンド１がカトラリーをできるかぎり立てた状態で安定させるためにカトラリーが挿入される支持孔４、７の中心線の傾斜角が約６０°に設定されているのに対し、第二実施形態のカトラリースタンド１８はカトラリーをできる限り寝かせる状態で安定させるためにカトラリーが挿入される支持孔４、７、１６の中心線の傾斜角を約６０°よりも小さい約５°にしている点にある。
【００４２】
ただし、図７に示すような第一実施形態のカトラリースタンド１の上面１１の曲線美を損なうことのないように図８に示すような第二実施形態のカトラリースタンド１８の横幅５０ｍｍは第一実施形態のカトラリースタンド１と同じとしながらも第二実施形態のカトラリースタンド１８は上面２１をスプーン、フォーク、ナイフの３種類が挿入できるように、上下に面積を拡大する設計とした。
【００４３】
また、図９に示すように第二実施形態のカトラリースタンド１８の重心Ｗ１を通る仮想の鉛直線Ｆ１は、接触面２０を通過するように設定されている。
【００４４】
カトラリースタンド１８の重心Ｗ１とスプーン３の重心Ｗ２との合成重心Ｗ１＋Ｗ２を通る仮想の鉛直線Ｆ２は、接触面２０を通過するように設定されている。
【００４５】
カトラリースタンド１８の重心Ｗ１とフォーク６の重心Ｗ３との合成重心Ｗ１＋Ｗ３を通る仮想の鉛直線Ｆ３は接触面２０を通過するように設定されている。
【００４６】
カトラリースタンド１８の支持孔１６の横幅は２０ｍｍとし、第一実施形態の支持孔４、７よりも横幅を広げてナイフ１５を深く挿入可能にした。それによりカトラリースタンド１８の重心Ｗ１とナイフ１５の重心Ｗ４との合成重心Ｗ１＋Ｗ４を通る仮想の鉛直線Ｆ４は接触面２０を通過するように設定されている。
【００４７】
そして、カトラリースタンド１８の重心Ｗ１とスプーン３の重心Ｗ２とフォーク６の重心Ｗ３とナイフ１５の重心Ｗ４との合成重心Ｗ１＋Ｗ２＋Ｗ３＋Ｗ４を通る仮想の鉛直線Ｆ５が接触面２０を通過するように設定されている。
【００４８】
これにより、カトラリースタンド１８とスプーン３とフォーク６とナイフ１５の重心のバランスが安定した状態となる。
【００４９】
また、スプーン３は支持孔４入口の下部分との接点４ａと支持孔４出口の上部分の接点４ｂを持つことで自重を支えている。フォーク６は支持孔７入口の下部分との接点７ａと支持孔７出口の上部分の接点７ｂを持つことで自重を支えている。ナイフ１５は支持孔１６入口の下部分との接点１６ａと支持孔１６出口の上部分の接点１６ｂを持つことで自重を支えている。
【００５０】
本発明のカトラリースタンドの材質は木材、プラスチック、セラミック、陶器、磁器、漆器、ガラス、石材、金属などの種々の材料が挙げられる。なお、本発明は上記に記載した実施形態に限られず、種々の変更が可能である。
【００５１】
「発明の効果」の欄に記載した効果は、第一実施形態と第二実施形態とで共通である。第一実施形態の支持部の所定の角度を約１２０°とした構成によりカトラリースタンド１にスプーン３やフォーク６を挿入した状態でもカトラリースタンド１が倒れることはないという効果がある。さらに、第一実施形態の支持孔の中心線の角度を約６０°とした構成によりカトラリースタンド１にスプーン３やフォーク６を挿入した状態でもカトラリースタンド１が倒れることはないという効果がある。
【符号の説明】
【００５２】
１，１８カトラリースタンド
２，２２カトラリースタンド１，１８の台座部
３    スプーン
４    カトラリースタンド１，１８におけるスプーン３の支持孔
５    カトラリースタンド１，１８におけるスプーン３の先端
６    フォーク
７    カトラリースタンド１，１８におけるフォーク６の支持孔
８    カトラリースタンド１，１８におけるフォーク６の先端
９，１９   カトラリースタンド１，１８の支持部
１０，２０  カトラリースタンド１，１８の接触面
１１，２１  カトラリースタンド１，１８の上面
１２  カトラリーとカトラリースタンド１の支持孔入口下部分の接点
１３  カトラリーとカトラリースタンド１の支持孔出口上部分の接点
１４    テーブルの設置面
１５  ナイフ
１６  カトラリースタンド１８におけるナイフ１５の支持孔     
１７  カトラリースタンド１８におけるナイフ１５の先端
Ａ  正面方向
Ｂ  側面方向
Ｃ  上面方向
Ｄ  背面方向
Ｗ１：カトラリースタンド１，１８の重心
Ｗ２：スプーン３の重心
Ｗ３：フォーク６の重心
Ｗ４：ナイフ１４の重心
Ｅ１:カトラリースタンド１のＷ１の鉛直線 
Ｅ２:カトラリースタンド１のＷ１＋Ｗ２の鉛直線
Ｅ３:カトラリースタンド１のＷ１＋Ｗ３の鉛直線
Ｅ４:カトラリースタンド１のＷ１＋Ｗ２＋Ｗ３の鉛直線
Ｆ１:カトラリースタンド１８のＷ１の鉛直線 
Ｆ２:カトラリースタンド１８のＷ１＋Ｗ２の鉛直線
Ｆ３:カトラリースタンド１８のＷ１＋Ｗ３の鉛直線
Ｆ４:カトラリースタンド１８のＷ１＋Ｗ４の鉛直線
Ｆ５:カトラリースタンド１８のＷ１＋Ｗ２＋Ｗ３＋Ｗ４の鉛直線
【図１】
2017121470.tif 000003
【図２】
2017121470.tif 000004
【図３】
2017121470.tif 000005
【図４】
2017121470.tif 000006
【図５】
2017121470.tif 000007
【図６】
2017121470.tif 000008
【図７】
2017121470.tif 000009
【図８】
2017121470.tif 000010
【図９】
2017121470.tif 000011